(57)【要約】【課題】光ディスクレコーダにおいて、録画開始の指令が入力されてからデータの記録が開始されるまでの時間を短縮する。【解決手段】光ディスクのマウントが終了すると、直ちに光ディスクを標準速度の倍速で回転させながら、ＰＣＡサーチを開始する。このＰＣＡサーチが完了すると、録画のためのスタンバイ状態となり、この状態で録画が開始されると、ＭＰＥＧエンコーダによって生成されたＭＰＥＧエンコード信号をバッファに蓄積すると共に、光ディスクを標準速度で回転させながらＯＰＣを実行する。ＯＰＣが完了し、装填された光ディスクにとって最適なレーザ強度が解ると、バッファに蓄積した信号を直ちにフロントエンドに転送させ、光ディスクへの記録を開始する。【選択図】図２
2005276286.tif 000002
【特許請求の範囲】
【請求項１】
テレビジョン放送信号を受信するチューナと、このチューナが受信した放送信号を圧縮符号化するエンコーダと、このエンコーダによって圧縮符号化された信号を一時的に蓄積するバッファと、このバッファに蓄積された信号を光ディスクへの書き込みに適した信号に変調するモジュレータと、光ディスクを回転駆動するためのスピンドルモータと、このスピンドルモータによって回転駆動されている光ディスクにレーザ光を照射することにより、前記モジュレータによって変調された信号を光ディスクに書き込む光ピックアップと、上記各部を制御する制御手段とを備えた光ディスクレコーダにおいて、
前記制御手段は、
装置内に光ディスクが装填されると、直ちに前記スピンドルモータに光ディスクを標準速度の倍速度で回転駆動させ、前記光ピックアップに回転中の光ディスクに対してレーザ光を照射させ、その反射光に基いて光ディスクの種別を判定し、続いて前記スピンドルモータに光ディスクを引き続き前記倍速度で回転駆動させながら光ディスクのパワーキャリブレーション領域をサーチし、
録画開始の指令が入力されたとき、前記エンコーダによって圧縮符号化された信号をバッファに蓄積しながら、前記スピンドルモータに光ディスクを標準速度で回転駆動させて光ピックアップのレーザ強度を装填された光ディスクに合わせて最適化し、
前記スピンドルモータに光ディスクを引き続き前記標準速度で回転駆動させながら、前記バッファに蓄積されている信号を前記モジュレータに変調させ、その変調された信号を光ピックアップによって光ディスクに書き込ませ、録画開始の指令が入力されてからデータの記録が開始されるまでの時間を短縮したことを特徴とする光ディスクレコーダ。
【請求項２】
テレビジョン放送信号を受信するチューナと、このチューナが受信した放送信号を圧縮符号化するエンコーダと、このエンコーダによって圧縮符号化された信号を一時的に蓄積するバッファと、このバッファに蓄積された信号を光ディスクへの書き込みに適した信号に変調するモジュレータと、光ディスクを回転駆動するためのスピンドルモータと、この記スピンドルモータによって回転駆動されている光ディスクにレーザ光を照射することにより、モジュレータによって変調された信号を光ディスクに書き込む光ピックアップと、上記各部を制御する制御手段とを備えた光ディスクレコーダにおいて、
前記制御手段は、
装置内に光ディスクが装填されると、直ちに前記スピンドルモータに光ディスクを回転駆動させ、前記光ピックアップに回転中の光ディスクに対してレーザ光を照射させ、その反射光に基いて光ディスクの種別を判定し、続いて前記スピンドルモータに光ディスクを引き続き回転駆動させながら光ディスクのパワーキャリブレーション領域をサーチし、録画開始の指令が入力されてからデータの記録が開始されるまでの時間を短縮したことを特徴とする光ディスクレコーダ。
【請求項３】
前記制御手段は、
録画開始の指令が入力されたとき、前記エンコーダによって圧縮符号化された信号をバッファに蓄積しながら、前記スピンドルモータに光ディスクを回転駆動させ、光ピックアップのレーザ強度を装填された光ディスクに合わせて最適化することを特徴とする請求項２に記載の光ディスクレコーダ。
【発明の詳細な説明】
【技術分野】
【０００１】
本発明は、テレビジョン放送信号を光ディスクに記録する光ディスクレコーダに関するものである。
【背景技術】
【０００２】
従来から、ＤＶＤ（Digital Versatile Disk)等の光ディスクにテレビジョン放送信号を記録する光ディスクレコーダが実用化されている。そして、各メーカからデータの書き込みが可能な様々な種類の光ディスクが供給されている。このような書き込み可能な光ディスクは、それぞれ規格の範囲内においてディスク毎にレーザ光に対する感度がばらついていることがあるので、光ディスクレコーダはデータを書き込む前にＯＰＣ（Optimum Power Control）を実行し、レーザ光の強度を最適化するようにしている。
【０００３】
図４は、このような従来の光ディスクレコーダによる録画開始時における動作を時系列に示している。レコーダに光ディスクが装填されている状態で、リモコン装置の録画キーが押下されると、光ディスクレコーダは録画を開始する。従来の光ディスクレコーダは、録画を行う際、その準備処理として、まず、ＯＰＣを行う領域、すなわち、パワーキャリブレーション領域（Power Calibration Area：以下、ＰＣＡと記す）をサーチし、その後ＰＣＡ領域でＯＰＣを実行していた。ところが録画キーが押下された後、ＰＣＡをサーチし、ＯＰＣを実行している間にも、テレビジョン放送信号は次々と配信されているので、録画キーが押下された直後から放送信号を漏れなく記録するために、光ディスクレコーダは上述した準備処理を行っている間に配信されている放送信号を圧縮符号化し、バッファに一時的に蓄積し、ＯＰＣの完了後にＤＶＤに記録するようにしている。
【０００４】
なお、ＰＣＡサーチを容易にするためＯＰＣを実行後、このＯＰＣを実行した領域を消去してＰＣＡを作成するようにした光ディスク装置が知られている（例えば、特許文献１参照）。また、ＰＣＡを利用して光ピックアップを初期位置に移動させるようにした光ディスク装置が知られている（例えば、特許文献２参照）。
【特許文献１】特開２００３−２７２１５７号公報(請求項１)
【特許文献２】特開２００３−２８１７４５号公報(請求項２)
【発明の開示】
【発明が解決しようとする課題】
【０００５】
しかしながら、上述した従来の光ディスクレコーダにおいては、録画の準備として行わなければならない処理（ＰＣＡのサーチ及びＯＰＣの実行）に数１０秒間費やされるので、その間に配信されている放送信号を蓄積するために大容量バッファが必要となり、装置のコストアップを招来していた。例えば、ＰＣＡのサーチに要する時間が８秒程度、ＯＰＣの実行に要する時間が８秒程度であったとすると、１６秒以上の放送信号を蓄積できる容量のバッファが必要とされる。もっとも、十分な容量のバッファを実装できない場合には、バッファリングを開始する時間を遅らせることにより、バッファ溢れを防止するとも可能ではあるが、このようにした場合、録画キーが押下された直後の放送信号を記録することができず、光ディスクレコーダの使い勝手の低下を招く結果となる。
【０００６】
上記課題は、上述した特許文献１又は特許文献２に示された装置によっても解決することができない。
【０００７】
本発明は、上記課題を解決するためになされたものであり、録画開始の指令が入力されてからデータの記録が開始されるまでの時間を短縮することにより、バッファの容量を削減できるようにして装置のコストダウンを図れるようにした光ディスクレコーダを提供することを目的とする。
【課題を解決するための手段】
【０００８】
上記目的を達成するために請求項１の発明は、テレビジョン放送信号を受信するチューナと、このチューナが受信した放送信号を圧縮符号化するエンコーダと、このエンコーダによって圧縮符号化された信号を一時的に蓄積するバッファと、このバッファに蓄積された信号を光ディスクに書き込み可能な信号に変調するモジュレータと、光ディスクを回転駆動するためのスピンドルモータと、このスピンドルモータによって回転駆動されている光ディスクにレーザ光を照射することにより、モジュレータによって変調された信号を光ディスクに書き込む光ピックアップと、上記各部を制御する制御手段とを備えた光ディスクレコーダにおいて、制御手段は、装置内に光ディスクが装填されると、直ちにスピンドルモータに光ディスクを標準速度の倍速度で回転駆動させ、光ピックアップに回転中の光ディスクに対してレーザ光を照射させ、その反射光に基いて光ディスクの種別を判定し、続いてスピンドルモータに光ディスクを引き続き倍速度で回転駆動させながら光ディスクのパワーキャリブレーション領域をサーチし、録画開始の指令が入力されたとき、エンコーダによって圧縮符号化された信号をバッファに蓄積しながら、スピンドルモータに光ディスクを標準速度で回転駆動させて光ピックアップのレーザ強度を装填された光ディスクに合わせて最適化し、スピンドルモータに光ディスクを引き続き標準速度で回転駆動させながら、バッファに蓄積されている信号をモジュレータに変調させ、その変調された信号を光ピックアップによって光ディスクに書き込ませ、録画開始の指令が入力されてからデータの記録が開始されるまでの時間を短縮したものである。
【０００９】
請求項２の発明は、テレビジョン放送信号を受信するチューナと、このチューナが受信した放送信号を圧縮符号化するエンコーダと、このエンコーダによって圧縮符号化された信号を一時的に蓄積するバッファと、このバッファに蓄積された信号を光ディスクへの書き込みに適した信号に変調するモジュレータと、光ディスクを回転駆動するためのスピンドルモータと、この記スピンドルモータによって回転駆動されている光ディスクにレーザ光を照射することにより、モジュレータによって変調された信号を光ディスクに書き込む光ピックアップと、上記各部を制御する制御手段とを備えた光ディスクレコーダにおいて、制御手段は、装置内に光ディスクが装填されると、直ちにスピンドルモータに光ディスクを回転駆動させ、光ピックアップに回転中の光ディスクに対してレーザ光を照射させ、その反射光に基いて光ディスクの種別を判定し、続いてスピンドルモータに光ディスクを引き続き回転駆動させながら光ディスクのパワーキャリブレーション領域をサーチし、録画開始の指令が入力されてからデータの記録が開始されるまでの時間を短縮したものである。
【００１０】
請求項３の発明は、請求項２に記載の光ディスクレコーダにおいて、制御手段は、録画開始の指令が入力されたとき、エンコーダによって圧縮符号化された信号をバッファに蓄積しながら、スピンドルモータに光ディスクを回転駆動させ、光ピックアップのレーザ強度を装填された光ディスクに合わせて最適化するものである。
【発明の効果】
【００１１】
請求項１の発明によれば、装置内に光ディスクが装填された段階で、直ちに光ディスクの種別を判定し、パワーキャリブレーション領域をサーチするので、録画開始の指令が入力された後、データの記録を開始するのに必要な準備処理を減らすことができ、その時間を短縮することができる。これにより、バッファの容量を削減することが可能となり装置のコストダウンを図ることができる。また、光ディスクを倍速度で回転させながらパワーキャリブレーション領域のサーチを行うので、その処理を迅速に完了させることができる。従って、光ディスクが装填された直後に録画指令が入力された場合にあっても、光ディスクレコーダを素早く記録可能な状態に移行させることができ、バッファ溢れを防止することができる。また、録画開始の指令が入力されたとき、光ディスクを標準速度で回転駆動させながら光ピックアップのレーザ強度を最適化し、そのときの光ディスクの回転数を維持したまま、モジュレータによって変調された信号を書き込ませるようにしているので、信号の書き込みにあたって光ディスクの回転数を変更するために待機する必要がない。従って、光ピックアップのレーザ強度を最適化した直後から信号の書き込みが可能となり、データの記録を開始するのに必要な時間をさらに短縮することができる。
【００１２】
請求項２の発明によれば、装置内に光ディスクが装填された段階で、直ちに光ディスクの種別を判定し、パワーキャリブレーション領域をサーチするので、録画開始の指令が入力された後、データの記録を開始するのに必要な準備処理を減らすことができ、その時間を短縮することができる。これにより、バッファの容量を削減することが可能となり装置のコストダウンを図ることができる。
【００１３】
請求項３の発明によれば、光ピックアップのレーザ強度を最適化している間に配信された放送信号を圧縮符号化してバッファに蓄積するので、録画指令が入力された直後から配信されている放送信号を漏れなく記録することができる。
【発明を実施するための最良の形態】
【００１４】
本発明を実施するための最良の実施形態による光ディスクレコーダについて図面を参照して説明する。図１は光ディスクレコーダの一例としてＤＶＤ（Digital Versatile Disk)にテレビジョン放送信号を記録するＤＶＤレコーダの構成を示している。光ディスクレコーダは、レコーダ全体としての処理を行うバックエンド１と、光ディスクにデータの書き込み又は読み出しを行うためのフロントエンド２とを有している。
【００１５】
バックエンド１は、アンテナ３０を介してテレビジョン放送信号を受信するチューナ３と、チューナ３が受信した放送信号をＭＰＥＧ（Moving Picture Experts Group）規格に準拠する信号に圧縮符号化するＭＰＥＧエンコーダ５と、ＭＰＥＧエンコーダ５によって圧縮符号化された信号を一時的に蓄積するバッファ６と、バッファ６に蓄積された信号を複合するＭＰＥＧデコーダ７と、ＭＰＥＧデコーダ７によって複合された信号をモニタ装置２０が出力可能なアナログ信号に変換するＤ／Ａコンバータ８と、バックエンド１の各部の制御を司る制御部（制御手段）９と、光ディスクレコーダに各種の指令を入力するためのリモコン装置（図示せず）と、タイマ録画のための処理を行うタイマ部（図示せず）等によって構成されている。チューナ３は、デジタル放送に対応するものであってもアナログ放送に対応するものであってもよい。チューナ３がアナログ放送に対応するものである場合には、チューナ３が受信したアナログ信号をデジタル信号に変換するためのＡ／Ｄコンバータが別途必要になる。
【００１６】
一方、フロントエンド２は、バッファ６との間で信号を受け渡しするバッファ１１と、バッファ１１に蓄積された信号（８ビット信号）を光ディスクへの書き込みに適した１４ビット信号に変調するＥＦＭ（Eight Fourteen Modulation）モジュレータ１２と、光ディスクを回転駆動するためのスピンドルモータ１３と、スピンドルモータ１３によって回転駆動されている光ディスクにレーザ光を照射することにより、信号の書き込み又は読み出しを行う光ピックアップ１４と、光ピックアップ１４が読み出した１４ビット信号を８ビット信号に変調するＥＦＭデモジュレータ１５と、制御部９から出力される制御信号を受け、フロントエンド２の各部の制御を司る制御部（制御手段）１６等によって構成されている。
【００１７】
バックエンド１の制御部９とフロントエンド２の制御部１６とは、互いに各種の制御信号を送受信可能となるように接続されており、バックエンド１のバッファ６とフロントエンド２のバッファ１１とは、互いにＭＰＥＧエンコード信号を送受信可能となるように接続されている。
【００１８】
図２は、本実施形態の光ディスクレコーダによる録画開始時における動作を時系列に示している。本光ディスクレコーダは、光ディスクのフロントエンド２へのマウントが終了すると、直ちにスピンドルモータ１３を駆動して光ディスクを標準速度の倍速度で回転させながら、光ピックアップ１４よりレーザ光を照射してＰＣＡサーチを開始する。このＰＣＡサーチが完了すると、録画のためのスタンバイ状態となる。このスタンバイ状態においてリモコン装置の録画キーが押下されたり、ユーザによって予め設定された予約録画時間が接近すると、光ディスクレコーダは録画を開始する。録画は、ＭＰＥＧエンコーダ５によって生成されたＭＰＥＧエンコード信号をバックエンド１のバッファ６に蓄積すると共に、ＯＰＣを実行することにより開始される。ＯＰＣは、スピンドルモータ１３を駆動して光ディスクを標準速度で回転させながら、光ピックアップ１４よりレーザ光をその出力を変化させながらＰＣＡに照射し、試し書きを行い、さらにＰＣＡに読み出し用のレーザ光を照射してその反射光を評価することでなされる。ＯＰＣが完了し、装填された光ディスクにとって最適なレーザ強度が判ると、光ディスクにデータを書き込むことが可能な状態となる。そこで、光ディスクレコーダは、バッファ６に蓄積した信号を直ちにフロントエンド２のバッファ１１に転送させ、ＥＦＭモジュレータ１２、光ピックアップ１４を介して光ディスクへの記録を開始する。これらの動作は、制御部９及び制御部１６の制御により実行される。
【００１９】
次に、光ディスクの装填から録画に至る光ディスクレコーダの動作を、図３を参照して説明する。光ディスクが装填されると（＃１）、光ディスクのチャッキングを行う（＃２）。そして、スピンドルモータ１３を回転させて光ディスクを標準速度の倍速度で回転駆動し（＃３）、光ピックアップ１４よりレーザ光を照射して、その反射光に基いて光ディスクの種別を判別する（＃４）。この光ディスクの種別の判別により光ディスクのマウント動作が完了したものとする。その後、直ちに光ディスクを標準速度の倍速度で回転駆動しながら、ＰＣＡをサーチする（＃５）。上述したように、ＰＣＡサーチが完了すると、光ディスクレコーダは録画のためのスタンバイ状態に移行する。そして、このスタンバイ状態においてリモコン装置の録画キーが押下されたり、ユーザによって予め設定された予約録画時間が接近すると、光ディスクレコーダは録画を開始する（＃６においてＹＥＳ）。
【００２０】
録画処理は以下の手順でなされる。まず、光ディスクレコーダは、チューナ３が受信したテレビジョン放送信号をＭＰＥＧエンコーダ５によってエンコードし、そのＭＰＥＧエンコード信号をバックエンド１のバッファ６に蓄積する（＃７）。このバッファ６へのＭＰＥＧエンコード信号の蓄積は、録画処理が完了するまで適宜行われる。それと共に、光ディスクレコーダは、スピンドルモータ１３を回転させて光ディスクを標準速度で回転駆動しながらＯＰＣを実行する（＃８）。このＯＰＣが完了すると、光ディスクレコーダは、光ディスクの回転速度を標準速度に維持したまま、＃７においてバッファに蓄積したＭＰＥＧエンコード信号（録画データ）を直ちにフロントエンド２のバッファ１１に転送させ、光ディスクへの書き込みを開始する（＃９）。
【００２１】
以上のように、本実施形態の光ディスクレコーダによれば、装置内に光ディスクが装填された段階で、直ちに光ディスクの種別を判定し、パワーキャリブレーション領域(ＰＣＡ)をサーチするので、録画開始の指令が入力された後、データの記録を開始するのに必要な準備処理を減らすことができ、その時間を短縮することができる。これにより、バッファ６の容量を削減することが可能となり装置のコストダウンを図ることができる。例えば、ＯＰＣの実行に要する時間が８秒程度であったとすると、約１０秒程度の放送信号に相当するＭＰＥＧエンコード信号を記録できる容量のバッファ６を用いればよく、装置のコストを下げることができる。
【００２２】
また、光ディスクを倍速度で回転させながらパワーキャリブレーション領域のサーチを行うので、その処理を迅速に完了させることができる。例えば、従来の光ディスクレコーダでは、光ディスクを標準速度で回転させてＰＣＡをサーチしていたのでそれに要する時間は８秒程度とされていたが、本実施形態では、光ディスクを倍速度で回転させるため４秒程度でＰＣＡサーチを完了させることができる。従って、光ディスクが装填された直後に録画指令が入力された場合にあっても、光ディスクレコーダを素早く記録可能な状態に移行させることができ、バッファ６の溢れを防止することができる。
【００２３】
また、録画開始の指令が入力されたとき、光ディスクを標準速度で回転駆動させながら光ピックアップ１４のレーザ強度を最適化し、光ディスクの回転数を維持したまま、ＥＦＭモジュレータ１２によって変調された信号を書き込ませるようにしているので、信号の書き込みにあたって光ディスクの回転数を変更するために待機する必要がない。従って、光ピックアップ１４のレーザ強度を最適化した直後から信号の書き込みが可能となり、データの記録を開始するのに必要な時間をさらに短縮することができる。
【００２４】
なお、本発明は上記実施形態の構成に限られることなく種々の変形が可能である。例えば、図３に示すフローチャートの＃３乃至＃５においては、光ディスクを標準速度の倍速度で回転駆動しているが、この回転速度は、処理時間の短縮と、光ディスクの振動による騒音を比較考量した上で定めたものである。従って、光ディスクレコーダの仕向け地や用途によっては、標準速度で回転させてもよいし、その３倍速や４倍速で回転させても構わない。また、＃６において、録画開始の指令が入力された後、ＯＰＣを実行（＃８）するようにしているが、これはユーザに、録画指令を入力していないのに何らかの処理が進行していることに対する不安感を与えないように配慮したものである。従って、このような配慮が不要な場合にあっては、＃５においてＰＣＡをサーチした直後に、ＯＰＣを実行するようにフローチャートを変更してもよい。
【００２５】
さらに、エンコーダ５、デコーダ７は、ＭＰＥＧ規格に限られることなく、他の規格に準拠するものであっても構わない。また、＃７において、録画データを蓄積するためのバッファは、バックエンド１のバッファ６に限られることなく、フロントエンド２のバッファ１１であってもよい。
【図面の簡単な説明】
【００２６】
【図１】本発明の一実施形態による光ディスクレコーダのブロック図。
【図２】同レコーダの録画開始時における動作を時系列に示した図。
【図３】光ディスクの装填から録画に至る光ディスクレコーダの動作を示したフローチャート。
【図４】従来の光ディスクレコーダの録画開始時における動作を時系列に示した図。
【符号の説明】
【００２７】
３    チューナ
５    エンコーダ
６    バッファ
９    制御部（制御手段）
１２    モジュレータ
１３    スピンドルモータ
１４    光ピックアップ
１６    制御部（制御手段）
【図１】
2005276286.tif 000003
【図２】
2005276286.tif 000004
【図３】
2005276286.tif 000005
【図４】
2005276286.tif 000006